(57)【要約】      （修正有）【課題】コーヒーメーカーにおいて、シリンダーから出る水の量を簡単に調整することができる抽出装置を提供する。【解決手段】シリンダー１０と、ピストン１２とによって構成する。前記ピストンは前記シリンダー内に設けられ、前記抽出装置は、前記シリンダー内に液体を供給する水供給装置に連結される。前記ピストンは、ピストンヘッド１２０とピストンバー１２２とによってなる。前記ピストンヘッドは中空の筒状を呈し、内壁には軸棒１２４が設けられている。前記ピストンバーには、前記軸棒を枢設するとともに前記軸棒を自由に移動させる枢設孔が設けられている。前記ピストンバーにおける前記枢設孔に隣接した箇所には、前記ピストンに非中空の筒状を形成させるための蓋体１２６が設けられている。【選択図】図４
0003167970.tif 000002
【実用新案登録請求の範囲】
【請求項１】
シリンダーと、ピストンとによって構成する抽出装置であって、
前記ピストンは前記シリンダー内に設けられ、
前記抽出装置は、前記シリンダー内に液体を供給する水供給装置に連結され、
前記ピストンは、ピストンヘッドとピストンバーとによってなり、前記ピストンヘッドは中空の筒状を呈し、前記ピストンヘッドの内壁には軸棒が設けられ、前記ピストンバーには、前記軸棒を枢設するとともに前記軸棒を自由に移動させる枢設孔が設けられ、
前記ピストンバーにおける前記枢設孔に隣接した箇所には、前記ピストンに非中空の筒状を形成させるための蓋体が設けられることを特徴とする、抽出装置。
【請求項２】
前記シリンダーの内壁には、係合リングが設けられることを特徴とする、請求項１に記載の抽出装置。
【請求項３】
前記ピストンヘッドの外壁には、前記係合リングに接触して液体が溢れ出るのを防ぐための弾性リングが設けられることを特徴とする、請求項２に記載の抽出装置。
【請求項４】
前記抽出装置は、前記シリンダー内に設けられてコーヒーの粉が逆流するのを防ぐためのフィルター装置を備えることを特徴とする、請求項１に記載の抽出装置。
【請求項５】
前記シリンダーには、貯留容器と係合される複数の係止部が設けられることを特徴とする、請求項１に記載の抽出装置。
【請求項６】
前記抽出装置は、前記水供給装置と連結されるとともに前記水供給装置に対して加熱を行うための加熱装置を備えることを特徴とする、請求項１に記載の抽出装置。
【請求項７】
前記加熱装置には、複数の通気孔が設けられることを特徴とする、請求項６に記載の抽出装置。
【請求項８】
前記抽出装置は、前記抽出装置を置くための台座を備え、前記台座には、排水管を連結するための排水孔が設けられることを特徴とする、請求項１に記載の抽出装置。
【請求項９】
前記ピストンバーには、前記ピストンヘッドに往復動作を行わせるとともに左右に可動なレバーに連結されることを特徴とする、請求項１に記載の抽出装置。
【請求項１０】
前記水供給装置には、前記シリンダーに連結されるとともに水を送り出すために用いられる連結部が設けられることを特徴とする、請求項１に記載の抽出装置。
【考案の詳細な説明】
【技術分野】
【０００１】
本考案は抽出装置に関し、特にどの温度の水に対してでも、ピストンの往復動作を利用してシリンダー内から出る水の量を正確に調整することが可能な抽出装置に関する。
【背景技術】
【０００２】
一般的に、高圧蒸気方式のコーヒーメーカーの抽出装置は、シリンダーと、ピストンとによって構成する。しかしながら、従来の抽出装置の給水構造の精密さは明らかに不十分であり、コーヒーメーカーがシリンダーに給水するとき、水をシリンダーに進入させるために、ピストンを蒸気の圧力によって上に移動させなければならない。コーヒー抽出の蒸気の温度は、１０３度から１０５度の間であるため、コーヒーを抽出した後の風味が壊れやすく、コーヒー自体の味わいの価値が損なわれる。
【考案の概要】
【考案が解決しようとする課題】
【０００３】
そこで、本考案は、シリンダーから出る水の量を簡単に調整することができる抽出装置を提供することを目的とする。
【０００４】
また、本考案は、体積が小さく、携帯が便利な抽出装置を提供することを目的とする。
【０００５】
また、本考案は、余分な電源が必要なく、環境に優しく、省エネで且つ安全性を備えた抽出装置を提供することを目的とする。
【０００６】
また、本考案は、冷たい飲料を抽出することも、熱い飲料を抽出することも可能な抽出装置を提供することを目的とする。
【課題を解決するための手段】
【０００７】
上述の目的を達成するために、本考案の抽出装置は、シリンダーと、ピストンとによって構成する。前記ピストンは前記シリンダー内に設けられ、前記抽出装置は、前記シリンダー内に液体を供給する水供給装置に連結され前記ピストンは、ピストンヘッドとピストンバーとによってなり、前記ピストンヘッドは中空の筒状を呈し、前記ピストンヘッドの内壁には軸棒が設けられ、前記ピストンバーには、前記軸棒を枢設するとともに前記軸棒を自由に移動させる枢設孔が設けられ、前記ピストンバーにおける前記枢設孔に隣接した箇所には、前記ピストンに非中空の筒状を形成させるための蓋体が設けられる。
【図面の簡単な説明】
【０００８】
【図１】本考案の一実施形態の外観を示した斜視図である。
【図２】本考案の一実施形態の構造を示した分解斜視図である。
【図３】本考案のシリンダーに給水する際の動作を示した断面図である。
【図４】本考案のレバーを操作して貯留容器に水を進入させる動作を示した断面図１である。
【図５】本考案のレバーを操作して貯留容器に水を進入させる動作を示した断面図２である。
【図６】本考案のシリンダーに水を追加する際の動作を示した断面図である。
【図７】水を補充する際の動作を示した断面図である。
【図８】本考案のレバーを動かした時の動作を示した説明図である。
【考案を実施するための形態】
【０００９】
図１と図２を参照する。図1は、本考案の一実施形態の外観を示した斜視図であり、図２は、本考案の一実施形態の構造を示した分解斜視図である。図から分かるように、本考案の抽出装置１は、シリンダー１０と、ピストン１２とによって構成する。ピストン１２は、シリンダー１０内に設けられて往復動作を行う。抽出装置１は、シリンダー１０内に液体を供給する水供給装置１４に連結され、水供給装置１４には、シリンダー１０に連結されるとともに水を送り出すために用いられる連結部１４０が設けられる。また、抽出装置１は台座１６に取り付けられ、台座１６には、排水管１６０を連結するための排水孔１６２が設けられる。また、ピストン１２は、ピストンヘッド１２０とピストンバー１２２とによって構成し、ピストンヘッド１２０は中空の筒状を呈し、ピストンヘッド１２０の内壁には軸棒１２４が設けられる。ピストンバー１２２には、軸棒１２４を枢設して軸棒１２４を自由に移動させるための枢設孔１２２０が設けられる。また、ピストンバー１２２における枢設孔１２２０に近接する箇所に、ピストン１２に非中空の筒状を形成させる蓋体１２６が設けられ、ピストンバー１２２を介して蓋体１２６の位置が変化することにより、ピストン１２に中空の筒状或いは非中空の筒状を形成させることができる。蓋体１２６がピストンバー１２２によって引っ張り上げられると、ピストン１２は中空の筒状を形成し、この時、シリンダー１０内の水は、蓋体１２６がピストン１２から外れることにより形成される空間により、貯留容器１７へと流出し、コーヒーが抽出される。以上のように、蓋体１２６とピストン１２間の空間を利用するとともに、ピストンバー１２２を制御することにより、抽出する水の量を調整することができる。なお、ピストンバー１２２は、操作を行いやすくするためにレバー１８と連結させる。そして、レバー１８を操作することで、ピストンヘッド１２０の往復動作を行うことができる。
【００１０】
シリンダー１０の内壁には、係合リング１０２が設けられ、ピストンヘッド１２０の外壁には、係合リング１０２に接触する弾性リング１２８が設けられ、係合リング１０２と弾性リング１２８を相互に接触させることにより、ピストンヘッド１２０が外れるのを防ぐだけでなく、液体が溢れ出すのを阻止することができる。また、シリンダー１０内には、コーヒーの粉が逆流するのを防ぐためのフィルター装置１９が設けられ、シリンダー１０の底部におけるフィルター装置１９に隣接する箇所は、延伸して複数の係止部１０４を形成し、係止部１０４により、コーヒーの粉を入れた貯留容器１７をシリンダー１０に固定することができる。
【００１１】
また、水供給装置１４には加熱装置２が取り付けられ、水供給装置１４に対して加熱を行うことができる。また、加熱装置２は、複数の通気孔２０が設けられ、加熱する時に、十分な空気を供給し燃焼を助ける。
【００１２】
図３と図４と図５を同時に参照する。図３は、本考案のシリンダーに給水する際の動作を示した断面図であり、図４は、本考案のレバーを操作して貯留容器に水を進入させる動作を示した断面図１であり、図５は、本考案のレバーを操作して貯留容器に水を進入させる動作を示した断面図２である。図から分かるように、まず、使用者によってレバー１８が下に押されると、レバー１８と連結されたピストンバー１２２が下へ移動し、それに連動してピストンヘッド１２０も下へ移動する。この時の蓋体１２６によって、ピストンヘッド１２０は非中空の筒状を呈する。その後、コーヒーの粉を貯留容器１７に充填し、貯留容器１７を回転させると、係止部１０４によって、シリンダー１０に固定される。この時、ピストンヘッド１２０とシリンダー１０は、底部が密封された状態になるため、水が貯留容器１７に流れださず、シリンダー１０内にとどまる。
【００１３】
この時、使用者がゆっくりとレバー１８を上に引っ張り上げると、ピストンバー１２２も引き上げられると同時に、ピストンヘッド１２０内の軸棒１２４もピストンバー１２２の枢設孔１２２０により移動するため、蓋体１２６とピストンヘッド１２０は中空の筒状を形成し、シリンダー１０内の水は、蓋体１２６がピストン１２から外れることにより形成された空間によって貯留容器１７に流出し、コーヒーが抽出される。以上のように、蓋体１２６とピストンヘッド１２０間の空間を利用するとともに、ピストンバー１２２を制御することにより、ピストンヘッド１２０に往復動作をさせずに水の抽出量を調整することができる。
【００１４】
コーヒーの抽出量が目的の量まで達したら、使用者は、再びレバー１８を下に引き下げる。すると、ピストンバー１２２が下に押され、蓋体１２６とピストンヘッド１２０は非中空の筒状を形成し、それにより、水が流れ出るのが中断され、コーヒーの抽出プロセスが完了する。なお、水供給装置１４によって、シリンダー１０内の水量は持続的に維持される。
【００１５】
図６を参照する。図６は、本考案のシリンダーに水を追加する際の動作を示した断面図である。シリンダー１０内に水がなくなった場合、使用者は、ピストンバー１２２を介してピストンヘッド１２０が一番上の頂端に来るまでレバー１８を上に引き上げてなくても、シリンダー１０へ持続的に水を供給することができる。そして、蓋体１２６を制御することにより、ピストンヘッド１２０と蓋体１２６の間に中空の筒状及び非中空の筒状を形成させることで、抽出する水の量を調整することができる。
【００１６】
図７を参照する。図７は、水を補充する際の動作を示した断面図である。水供給装置１４には送水弁３が設けられる。使用者が水を補充したい場合、水供給装置１４の送水弁３に水を供給する水管３０を連結し、さらに、送水弁３と連結部１４０の間に、別の水管３０を連結する。以上の構造により、水供給装置内に水を入れつづけなくても、直接且つ持続的に水を補充することができる。水の抽出、水の供給、水の量の調整に関しては前述したものと同じであり、ここでは記載を省略する。
【００１７】
図８を参照する。図８は、本考案のレバーを動かした時の動作を示した説明図である。可動なレバー１８を利用することにより、使用者は、抽出装置１に対して人体工学に基づいた操作を行うことができる。
【符号の説明】
【００１８】
１      抽出装置
１０    シリンダー
１０２  係合リング
１０４  係止部
１２    ピストン
１２０  ピストンヘッド
１２２  ピストンバー
１２２０枢設孔
１２４  軸棒
１２６  蓋体
１２８  弾性リング
１４    水供給装置
１４０  連結部
１６    台座
１６０  排水管
１６２  排水孔
１７    貯留容器
１８    レバー
１９    フィルター装置
２      加熱装置
２０    通気孔
３      送水弁
３０    水管
【図１】
0003167970.tif 000003
【図２】
0003167970.tif 000004
【図３】
0003167970.tif 000005
【図４】
0003167970.tif 000006
【図５】
0003167970.tif 000007
【図６】
0003167970.tif 000008
【図７】
0003167970.tif 000009
【図８】
0003167970.tif 000010